(57)【特許請求の範囲】
【請求項１】
インスタント・メッセージ・システムの多数識別子によるログイン方法であって、前記インスタント・メッセージ・システムは、基本識別子に対応する第１ログイン・サーバと、少なくとも一つの第２識別子に対応する少なくとも一つの第２ログイン・サーバと、を備え、前記方法は、
Ａ．前記基本識別子と前記少なくとも一つの第２識別子との対応関係を設定するステップであって、クライアントは前記インスタント・メッセージ・システムにログインするために前記基本識別子及び前記少なくとも一つの第２識別子のうちのいずれかを使用する、ステップＡと、
Ｂ．前記基本識別子を含むログイン要求がクライアントから送信されたとき、前記第１ログイン・サーバが前記ログイン要求を受信し、前記第１ログイン・サーバが前記基本識別子を使用して基本識別子ログイン手続を実行し、
前記少なくとも一つの第２識別子を含むログイン要求がクライアントから送信されたとき、前記少なくとも一つの第２ログイン・サーバうちの一つが前記ログイン要求を受信し、前記少なくとも一つの第２ログイン・サーバのうちの前記一つが前記対応関係に従って前記ログイン要求中の前記第２識別子に対応する基本識別子を取得し、前記少なくとも一つの第２ログイン・サーバのうちの前記一つがログイン要求を前記第１ログイン・サーバに送信し、前記第１ログイン・サーバが前記取得した基本識別子を使用して基本識別子ログイン手続を実行する、ステップＢと、
を含む、前記方法。
【請求項２】
更に、少なくとも１つのマッピング・データベースを設定して、前記対応関係を格納するステップを含む、請求項１に記載の方法。
【請求項３】
前記ステップＡが、ユーザが基本識別子を登録申請しているとき、前記インスタント・メッセージ・システムがユーザ情報における前記少なくとも一つの第２識別子にしたがって前記少なくとも一つの第２識別子と前記基本識別子との対応関係を自動的に設定することを含む、請求項１に記載の方法。
【請求項４】
前記基本識別子と前記少なくとも一つの第２識別子との対応関係を設定することは、前記インスタント・メッセージ・システムが第２識別子の認証情報を該第２識別子に対応する識別エンティティに認証のために送信し、前記第２識別子が認証を通過する場合には、前記基本識別子と前記第２識別子との対応関係を設定することをさらに含む、請求項１に記載の方法。
【請求項５】
前記インスタント・メッセージ・システムが第２識別子の認証情報を該第２識別子に対応する識別エンティティに認証のために送信することは、
前記インスタント・メッセージ・システムが、認証情報を前記識別エンティティに送信することと、
前記インスタント・メッセージ・システムが、前記識別子エンティティから取得したフィードバック情報によって前記第２識別子の認証を行うことと、
を含み、
前記第２識別子が認証を通過する場合には、前記基本識別子と前記第２識別子との対応関係を設定することは、
前記第２識別子が認証された後、前記インスタント・メッセージ・システムが、前記基本識別子及び前記第２識別子をそれぞれ対応するようにマッピング・データベースに格納することを含む、
請求項４に記載の方法。
【請求項６】
前記基本識別子がユーザ識別番号（ＵＩＮ）又は電子メール・アドレスであり、前記第２識別子が携帯電話番号、電子メール・アドレス、ニックネーム、又はこれらの識別子のうちの２つか３つを組み合わせたものである、請求項１に記載の方法。
【請求項７】
前記少なくとも一つの第２識別子を含むログイン要求が、前記基本識別子のパスワードを含み、
前記少なくとも一つの第２ログイン・サーバのうちの一つが、前記対応関係に従って、前記ログイン要求における前記第２識別子に対応する前記基本識別子を取得した後、前記方法は、さらに、
前記少なくとも一つの第２ログイン・サーバのうちの前記一つが前記インスタント・メッセージ・システムにおいて基本識別子と対応するパスワードとを格納する基本識別子データベースを検索し、前記基本識別子データベースにおいて前記基本識別子及びその対応するパスワードが、前記対応関係に従って取得された前記基本識別子及び前記ログイン要求における前記パスワードと一致するかどうかを判断し、
一致する場合には、前記少なくとも一つの第２ログイン・サーバのうちの前記一つがログイン要求を前記第１ログイン・サーバに送信し、前記第１ログイン・サーバが前記取得された基本識別子を使用して前記基本識別子ログイン手順を実行することを含む、
請求項１に記載の方法。
【請求項８】
インスタント・メッセージ・システムの多数識別子によるログイン方法であって、前記インスタント・メッセージ・システムは、基本識別子に対応する第１ログイン・サーバと、少なくとも一つの第２識別子に対応する少なくとも一つの第２ログイン・サーバと、を備え、前記方法は、
Ａ．前記基本識別子と前記少なくとも一つの第２識別子との間の対応関係を設定するステップであって、クライアントは前記インスタント・メッセージ・システムにログインするために前記基本識別子及び前記少なくとも一つの第２識別子のうちのいずれかを使用し、
前記基本識別子と前記少なくとも一つの第２識別子との対応関係を設定することは、
前記インスタント・メッセージ・システムが、認証要求を対応する識別エンティティに送信することと、
前記インスタント・メッセージ・システムが、前記識別子エンティティから取得したフィードバック情報に従って前記第２識別子の認証を行うことと、
前記第２識別子が認証された場合、前記インスタント・メッセージ・システムが、前記基本識別子と前記第２識別子との対応関係を設定することと、
を含む、ステップＡと、
Ｂ．ユーザがクライアントを介して前記少なくとも一つの第２ログイン・サーバのうちの一つに第２識別子によりログインし、前記少なくとも一つの第２ログイン・サーバのうちの前記一つが、前記第２識別子が前記基本識別子に対応する正しい識別子であるかどうかを前記対応関係に従って認証する、ステップＢと、
を含む、前記方法。
【請求項９】
前記ステップＡが、ユーザが基本識別子を登録申請しているとき、前記インスタント・メッセージ・システムがユーザ情報における前記少なくとも一つの第２識別子にしたがって前記少なくとも一つの第２識別子と前記基本識別子との対応関係を自動的に設定することを含む、請求項８に記載の方法。
【請求項１０】
前記第２識別子が認証された場合、前記インスタント・メッセージ・システムが、前記基本識別子と前記第２識別子との対応関係を設定することは、
前記第２識別子が認証された後、前記インスタント・メッセージ・システムが、前記基本識別子と前記第２識別子とをマッピング・データベースに格納することを含む、
請求項８に記載の方法。
【請求項１１】
前記第２識別子が携帯電話番号であり、
前記インスタント・メッセージ・システムが、認証要求を前記識別エンティティに送信することと、前記インスタント・メッセージ・システムが、前記識別子エンティティから取得したフィードバック情報にしたがって前記第２識別子の認証を行うこととは、
前記携帯電話番号に対応する携帯電話に認証コード・ストリングを送信することと、
前記ユーザにより入力された認証コード・ストリングが前記携帯電話に送信された認証コード・ストリングする場合に、前記第２識別子が認証されたと判定することを含む、前記ユーザにより入力された認証コード・ストリングを認証することと、
を含む、請求項１０に記載の方法。
【請求項１２】
前記第２識別子が電子メール・アドレスであり、
前記インスタント・メッセージ・システムが、認証要求を前記識別エンティティに送信することと、前記インスタント・メッセージ・システムが、前記識別子エンティティから取得したフィードバック情報にしたがって前記第２識別子の認証を行うこととは、
前記電子メール・アドレスに対応する電子メールボックスに認証電子メールを送信することと、
前記ユーザが前記電子メールボックスの中の認証電子メールの確認リンクをクリックしたときに前記ユーザにより送信される確認情報を受信した後に、前記第２識別子が認証されたと判定することと、
を含む、請求項１０に記載の方法。
【発明の詳細な説明】
【技術分野】
【０００１】
本発明は、ネットワーク通信サービス技術に関し、より詳細には、インスタント・メッセージ・システムの多数識別子によるログイン方法に関する。
【背景技術】
【０００２】
ネットワーク・インスタント・メッセージ（ＩＭ：Instant Messaging）・サービスは、インターネットに基づいたメッセージ・サービスであり、主にネットワーク・インスタント・メッセージ機能を果たす。インスタント・メッセージ・サービスは、インターネット上で広く利用され認められている。さらに、インターネット・インスタント・メッセージ・サービスは、ネットワーク・バーチャル・コミュニティと組み合わせる方向にも徐々に広がっており、これは、ネットワーク・インスタント・メッセージ・サービスの発展方向を表す。
【０００３】
ユーザは、インスタント・メッセージ・システムに入ってＩＭサービスを受ける前に、まずログインしなければならず、ユーザ識別子及び対応するパスワードを入力してからログインしなければならない。一般的には、２種類のユーザ識別子がある。１つは、デジタル・ユーザ識別子（例えば、ユーザ識別番号（ＵＩＮ：User Identifier Number））であり、もう１つは、ストリング識別子（例えば、電子メール・アドレス、ニックネームなど）である。
【０００４】
現在のインスタント・メッセージ・システムでは、１つだけの識別子によるログイン（例えば、ＵＩＮ及びパスワードによるログイン、電子メール・アドレス及びパスワードによるログイン）がサポートされている。しかしながら、ネットワーク・サービスの普及及び発展に伴い、ユーザは多数の異なるＩＭサービスに登録することが多い。このような状況では、ユーザは、このインスタント・メッセージ・システムにログインするためのユーザ識別子を忘れたり、このユーザ識別子と他のネットワーク・サービスで登録したユーザ識別子とを混同する可能性がある。従って、１つのユーザ識別子によるログイン方式は、ユーザにとって非常に不都合となり得る。さらに、どのインスタント・メッセージ・サービスも、同じログイン方式及び似たようなログイン・インタフェースを用いているので、ユーザは退屈しやすく、インスタント・メッセージ・サービスの面白みが少なくなる。
【発明の開示】
【発明が解決しようとする課題】
【０００５】
本発明の主な目的は、インスタント・メッセージ・システムの多数識別子によるログイン方法を提供することであって、これにより、インスタント・メッセージ・ツールが同時に多数種類の識別子のログインをサポートすることができないという、従来技術における課題が解決される。
【課題を解決するための手段】
【０００６】
上記目的を果たすために、インスタント・メッセージ・システムの多数識別子によるログイン方法は、
Ａ．１つ以上のユーザ識別子間における対応関係を設定するステップと、
Ｂ．インスタント・メッセージ・システムが、ログイン要求の受信後、ユーザが多数のユーザ識別子間における対応関係によってログインできるようにするステップと、
を含む。
【０００７】
前記方法において、少なくとも１つのマッピング・データベースを設定し、１つ以上のユーザ識別子間における対応関係を格納する。
【０００８】
前記方法において、１つ以上の識別子は、インスタント・メッセージ・システムの基本識別子と第２識別子とから成る。
【０００９】
前記方法において、前記ステップＡは、インスタント・メッセージ・システムの基本識別子と少なくとも１つの第２識別子とを関連付けることを含む。
【００１０】
前記方法において、前記ステップＡは、ユーザが基本識別子を登録申請しているとき、インスタント・メッセージ・システムがユーザ情報における第２識別子にしたがって第２識別子と基本識別子との対応関係を自動的に設定することを含む。
【００１１】
前記方法において、基本識別子と第２識別子とを関連付ける前に、インスタント・メッセージ・システムを介して、第２識別子の認証情報を、第２識別子に対応する識別エンティティに送信し、第２識別子が認証を通過する場合には、基本識別子と第２識別子とが関連付けられることをさらに含む。
【００１２】
前記方法において、前記関連付け手順は、
ａ）インスタント・メッセージ・システムが、基本識別子、第２識別子、及びその他の関連情報を取得することと、
ｂ）インスタント・メッセージ・システムが、関連認証情報を、現在の第２識別子に対応する識別エンティティに送信することと、
ｃ）インスタント・メッセージ・システムが、取得した対応するフィードバック情報によって、第２識別子を認証することと、
ｄ）第２識別子が認証された後、現在の基本識別子及び第２識別子をそれぞれ対応するように関連マッピング・データベースに格納することと、
を含む。
【００１３】
前記方法において、基本識別子は、ユーザ識別番号（ＵＩＮ）又は電子メール・アドレスであり、第２識別子は、携帯電話番号、電子メール・アドレス、ニックネーム、又はこれらの識別子のうちの２つか３つを組み合わせたものである。
【００１４】
前記方法において、前記ステップＢは、
インスタント・メッセージ・システムが、第２識別子を用いるログイン要求を受信する場合、対応関係によって、ログイン要求における第２識別子に対応する基本識別子を取得し、次に、取得した基本識別子を用いて基本識別子ログイン手順を実行することを含む。
【００１５】
前記方法において、第２識別子を用いるログイン要求は、第２識別子と基本識別子の対応するパスワードとから成り、インスタント・メッセージ・システムが、関連付け関係によって、前記要求における第２識別子に対応する基本識別子を取得した後、インスタント・メッセージ・システムにおいて基本識別子とその対応するパスワードとを格納する基本識別子データベースを検索し、基本識別子データベースにおいて見つけられた基本識別子及びその対応するパスワードが、前記関連付け関係から取得された基本識別子及び前記ログイン要求における対応するパスワードと一致するかどうかを判断し、一致する場合には、基本識別子ログイン手順が実行されることをさらに含む。
【００１６】
前記方法において、前記ステップＢは、
第２識別子によってインスタント・メッセージ・サーバのログイン・サーバに直接的にログインし、次に、前記対応関係によって、第２識別子が基本識別子に対応する正当な識別子であるかどうかを認証することを含む。
【発明の効果】
【００１７】
上記説明から分かるように、オリジナル基本識別子と他の第２識別子（ＳＩＤ：Secondary Identifiers）との関連付け（binding）関係が、インスタント・メッセージ・システム内部において設定され、ユーザが第２識別子によってインスタント・メッセージ・システムにログインすると、対応する基本識別子が第１の場所におけるマッピング・データバンクを介して取得され、次に、ユーザは、この取得された基本識別子によってインスタント・メッセージ・システムにログインする。従って、本発明は、多数識別子によるログインをサポートすることができ、インスタント・メッセージ・システムが多数識別子によるログインをサポートすることができないという、従来技術の課題が解決される。これにより、ユーザは、より便利に且つ柔軟にインスタント・メッセージ・システムにログインすることができ、インスタント・メッセージ・システムの面白みが増し、本発明の実用性が高まる。
【発明を実施するための最良の形態】
【００１８】
本発明の目的は、ユーザが多数の識別子によってインスタント・メッセージ・システムにログインできるようにすることである。本発明では、従来技術では１種類の識別子を用いてインスタント・メッセージ・システムにログインすることを考慮し、説明の便宜上、従来の識別子をこのインスタント・メッセージ・システムの基本識別子と呼び、この基本識別子は、従来技術のインスタント・メッセージ・システムにおけるユーザの一意識別子である。一方、ユーザの他の識別子を第２識別子と呼ぶ。
【００１９】
本発明を、添付の図面を参照しながら、詳細に説明する。
【００２０】
ユーザが第２識別子によるログイン・サービスを受ける前に、インスタント・メッセージ・システムは、基本識別子と他の第２識別子との対応関係を設定することにより、関連した識別子データの関連付けを終了し、この関連付け情報をマッピング・データベースに格納する。
【００２１】
基本識別子と他の第２識別子との対応関係を設定する処理手順において、関連認証情報が、インスタント・メッセージ・システムを介して、前記第２識別子の対応する識別エンティティに送信され、この第２識別子が認証された場合には、関連した識別子データの関連付けが終了する。具体的な関連付け手順は、以下のとおりである。
・インスタント・メッセージ・システムが、基本識別子、第２識別子、及びこれらの関連情報を取得する。
・インスタント・メッセージ・システムが、関連認証情報を、この第２識別子の対応する識別エンティティに送信する。
・インスタント・メッセージ・システムが、対応するフィードバック情報に応じて、この第２識別子を認証する。
・この第２識別子が認証された場合には、基本識別子と第２識別子との関連付けが完了し、関連付け情報が関連マッピング・データベースに格納される。
【００２２】
図１に示されているように、基本識別子をＵＩＮとし第２識別子を携帯電話番号とする関連付け手順を例に挙げ、具体的な動作を以下に詳細に説明する。
【００２３】
ステップ１０１：ユーザがクライアントにおいて他の識別子によるサービス・ガイドにログオンし、サービス・ガイド・インタフェースがクライアントにおいて表示される。
【００２４】
サービス・ガイド・インタフェースが、携帯電話番号による関連付けを選択するか電子メール・アドレスによる関連付けを選択するかをユーザに提示する。
【００２５】
ステップ１０２：ユーザが、携帯電話番号による関連付けを選択し、携帯電話番号ログイン・サービスの登録インタフェースに入り、携帯電話番号、このユーザの基本識別子ＵＩＮ及び対応するパスワードを記入して提示する。
【００２６】
ステップ１０３：クライアントが、サービス利用要求及び関連情報（例えば、記入された携帯電話番号、このユーザの基本識別子ＵＩＮ及び対応するパスワード）を、インスタント・メッセージ・システムの携帯電話番号ログイン処理サーバに送信し、次に、携帯電話番号ログイン処理サーバが、この情報から、基本識別子ＵＩＮ、対応するパスワード、及び携帯電話番号を取得する。
【００２７】
ステップ１０４：基本識別子ＵＩＮ及びその対応するパスワードによって、携帯電話番号ログイン処理サーバが、基本識別子ＵＩＮのデータベースを検索して、このユーザのアイデンティティを認証する。
【００２８】
ステップ１０５：ユーザのアイデンティティが認証された場合には、ステップ１０６が実行される。認証されない場合には、携帯電話番号ログイン処理サーバが、クライアントにエラー情報を送信し、フローを終了する。
【００２９】
ステップ１０６：携帯電話番号ログイン処理サーバが、携帯電話番号に対応する認証をユーザに提示する、即ち、認証コード・ストリングを携帯電話に送信する。
【００３０】
ステップ１０７：携帯電話番号ログイン処理サーバが、クライアントにおいて携帯電話番号認証ページを生成し、ユーザが、携帯電話から認証コード・ストリングを取得し、この認証コード・ストリングを携帯電話番号認証ページに記入して提示し、次に、インスタント・メッセージ・システムが、この認証コード・ストリング情報を認証する。
【００３１】
ステップ１０８：ユーザによって入力された認証コード・ストリングが、携帯電話番号ログイン処理サーバによって送られた認証コード・ストリングと同じである場合（これは、認証が成功したことを示す）には、ステップ１０９が実行される。ユーザによって入力された認証コード・ストリングが、携帯電話番号ログイン処理サーバによって送られた認証コード・ストリングと同じでない場合（これは、認証が失敗したことを示す）には、携帯電話番号ログイン処理サーバが、クライアントにエラー情報を送信する。
【００３２】
ステップ１０９：携帯電話番号ログイン処理サーバが、現ユーザの携帯電話番号と基本識別子ＵＩＮとこのＵＩＮの対応するパスワードとから成る携帯電話関連付け情報を、インスタント・メッセージ・システムにおける携帯電話番号関連付けサーバに送信し、携帯電話番号関連付けサーバが、対応するマッピング・データベース、即ち、携帯電話番号関連付けデータベースに、前記現ユーザの携帯電話番号と基本識別子ＵＩＮとこのＵＩＮの対応するパスワードとを関連付けた方法で記入して、基本識別子ＵＩＮと携帯電話番号との関連付けを終了する。
【００３３】
ステップ１１０：携帯電話番号関連付けサーバが、サービス登録が成功したことを示すメッセージをクライアントに送る。
【００３４】
図２に示されているように、基本識別子をＵＩＮとし第２識別子を電子メール・アドレスとする関連付け手順を例に挙げ、具体的な動作を以下に詳細に説明する。
【００３５】
ステップ２０１：ユーザがクライアントにおいて他のユーザ識別子によるサービス・ガイドにログオンし、サービス・ガイド・インタフェースがクライアントにおいて表示される。
【００３６】
サービス・ガイド・インタフェースが、携帯電話番号による関連付けを選択するか電子メール・アドレスによる関連付けを選択するかをユーザに提示する。
【００３７】
ステップ２０２：ユーザが、電子メール・アドレスによる関連付けを選択し、電子メール・ログイン・サービスの登録インタフェースに入り、電子メール・アドレス、このユーザの基本識別子ＵＩＮ及びこのＵＩＮの対応するパスワードを記入して提示する。
【００３８】
ステップ２０３：クライアントが、サービス利用要求及び関連情報（例えば、記入された電子メール・アドレス、このユーザの基本識別子ＵＩＮ及びこのＵＩＮの対応するパスワード）を、インスタント・メッセージ・システムにおける電子メール・ログイン処理サーバに送信し、次に、電子メール・ログイン処理サーバが、この情報から、基本識別子ＵＩＮ、対応するパスワード、及び電子メールを取得する。
【００３９】
ステップ２０４：基本識別子ＵＩＮ及びその対応するパスワードによって、電子メール・ログイン処理サーバが、基本識別子ＵＩＮのデータベースを検索して、このユーザのアイデンティティを認証する。
【００４０】
ステップ２０５：ユーザのアイデンティティが認証された場合には、ステップ２０６が実行される。認証されない場合には、電子メール・ログイン処理サーバが、クライアントにエラー情報を送信し、フローを終了する。
【００４１】
ステップ２０６：電子メール・ログイン処理サーバが、電子メールに対応する識別エンティティに認証電子メールを送信する、即ち、認証電子メールを電子メール・ボックスに送信する。
【００４２】
ステップ２０７：ユーザが、この電子メール・ボックスの認証電子メールにおける確認リンクをクリックして、電子メール関連付けの確認情報を電子メール・ログイン処理サーバに送信し、電子メール・ログイン処理サーバが、この確認情報を受信する（これは、認証されたことを示す）。
【００４３】
ステップ２０８：電子メール・ログイン処理サーバが、現ユーザの電子メール・アドレスと基本識別子ＵＩＮとこのＵＩＮの対応するパスワードとから成る電子メール関連付け情報を、インスタント・メッセージ・システムにおける電子メール関連付けサーバに送信し、電子メール関連付けサーバが、対応するマッピング・データバンク、即ち、電子メール関連付けデータバンクに、前記現ユーザの電子メール・アドレスと基本識別子ＵＩＮとこのＵＩＮの対応するパスワードとを関連付けた方法で記入して、基本識別子ＵＩＮと電子メール・アドレスとの関連付けを終了する。
【００４４】
ステップ２０９：電子メール関連付けサーバが、サービス登録が成功したことを示すメッセージをクライアントに送る。
【００４５】
基本識別子と第２識別子との関連付け関係がインスタント・メッセージ・システムにおいて設定されると、ユーザは、この関連付けられた第２識別子によってインスタント・メッセージ・システムにログインすることができる。図３に示されているように、本発明を利用することによるインスタント・メッセージ・システムにログインする具体的な動作を、以下に詳細に説明する。
【００４６】
ステップ３０１：ユーザが、クライアントにおいてログイン・インタフェースに入り、このログイン・インタフェースは、携帯電話番号、ＵＩＮ、電子メールなどのような、多数の識別子のログイン・ガイド・サービスから成り、ユーザは、１種類のログイン識別子を選択することができる。
【００４７】
ステップ３０２：ユーザが基本識別子ＵＩＮを選択した場合には、ステップ３０２Ａが実行され、ユーザが携帯電話番号によるログインを選択した場合には、ステップ３０２Ｂが実行され、ユーザが電子メール・アドレスによるログインを選択した場合には、ステップ３０２Ｃが実行される。
【００４８】
３０２Ａ：ユーザが基本識別子ＵＩＮを選択した場合、クライアントがログイン要求をインスタント・メッセージ・システムにおけるパブリック・ログイン・サーバに送り、次に、ステップ３０３が実行される。
【００４９】
３０２Ｂは、以下のステップ３０２Ｂ１〜３０２Ｂ５から構成される。
【００５０】
３０２Ｂ１：ユーザが携帯電話番号によるログインを選択した場合、クライアントが携帯電話番号ログイン・インタフェースに入り、ユーザが携帯電話番号及び基本識別子ＵＩＮパスワードを記入する。
【００５１】
３０２Ｂ２：クライアントが、この携帯電話番号及びＵＩＮパスワードから成るログイン情報を、インスタント・メッセージ・システムにおける携帯電話番号ログイン・サーバに提示する。
【００５２】
３０２Ｂ３：携帯電話番号ログイン・サーバが、携帯電話番号関連付けデータベースを検索して、この携帯電話番号の関連付け状況を認証する。
【００５３】
３０２Ｂ４：ユーザによって提示された携帯電話番号が既に基本識別子ＵＩＮと関連付けられている場合には、この基本識別子ＵＩＮが取得され、ステップ３０２Ｂ５が実行される。ユーザによって提示された携帯電話番号がいずれの基本識別子ＵＩＮとも関連付けられていない場合には、携帯電話番号ログイン・サーバが、クライアントにエラー情報を送り、処理手順を終了する。
【００５４】
３０２Ｂ５：携帯電話番号ログイン・サーバが、基本識別子ＵＩＮのデータベースを検索して、このデータベースにおける基本識別子ＵＩＮ及び対応するパスワードが、携帯電話番号関連付けデータベースから取得された基本識別子ＵＩＮ及びユーザによって提供された対応するパスワードと同じであるかどうかを判断し、同じでない場合には、携帯電話番号ログイン・サーバが、クライアントにエラー情報を送り、処理手順を終了し、同じである場合には、携帯電話番号ログイン・サーバが、ログイン要求情報をインスタント・メッセージ・システムにおけるパブリック・ログイン・サーバに送信し、次に、ステップ３０３が実行される。
【００５５】
３０２Ｃは、以下のステップ３０２Ｃ１〜３０２Ｃ５から構成される。
【００５６】
３０２Ｃ１：ユーザが電子メールによるログインを選択した場合、クライアントが電子メール・ログイン・インタフェースに入り、ユーザが電子メール・アドレス及び基本識別子ＵＩＮパスワードを記入する。
【００５７】
３０２Ｃ２：クライアントが、この電子メール・アドレス及びＵＩＮパスワードから成るログイン情報を、インスタント・メッセージ・システムにおける電子メール・ログイン・サーバに提示する。
【００５８】
３０２Ｃ３：電子メール・ログイン・サーバが、電子メール関連付けデータベースを検索して、この電子メール・アドレスの関連付け状況を認証する。
【００５９】
３０２Ｃ４：ユーザによって提示された電子メール・アドレスが既に基本識別子ＵＩＮと関連付けられている場合には、この基本識別子ＵＩＮが取得され、ステップ３０２Ｃ５が実行される。ユーザによって提示された電子メール・アドレスがいずれの基本識別子ＵＩＮとも関連付けられていない場合には、電子メール・ログイン・サーバが、クライアントにエラー情報を送り、処理手順を終了する。
【００６０】
３０２Ｃ５：電子メール・ログイン・サーバが、基本識別子ＵＩＮのデータベースを検索して、このデータベースにおける基本識別子ＵＩＮ及び対応するパスワードが、この電子メール・アドレスが関連付けられたデータベースから取得された基本識別子ＵＩＮ及びユーザによって提供された対応するパスワードと同じであるかどうかを判断し、同じでない場合には、電子メール・ログイン・サーバが、クライアントにエラー情報を送信し、フローを終了し、同じである場合には、電子メール・ログイン・サーバが、ログイン要求情報をインスタント・メッセージ・システムにおけるパブリック・ログイン・サーバに送信し、次に、ステップ３０３が実行される。
【００６１】
ステップ３０３：パブリック・ログイン・サーバが、従来技術の方式によって基本識別子ログイン動作を実行する。
【００６２】
さらに、基本識別子と第２識別子との対応関係を設定する処理手順は、他の方法で行ってもよい。例としては、ユーザが、インスタント・メッセージ・システムに登録してユーザ情報を記入するときに、電子メール・アドレス及び携帯電話番号のようないくつかの第２識別子も記入することによって、インスタント・メッセージ・システムが、基本識別子と第２識別子との対応関係を設定する方法が挙げられる。
【００６３】
上記のログイン手順では、多数の識別子によるログインを実行するのに、ユーザは、まずログインし、次に、設定された対応関係によって認証される。インスタント・メッセージ・システムは、複数の異なる第２識別子によってログイン・サーバに直接的にログインすることができるように設定される。例えば、ユーザが、電子メール・アドレス及び携帯電話番号の方法によってログイン・サーバにログインし、次に、インスタント・メッセージ・システムが、前記対応関係によって、第２識別子が基本識別子に対応する正当な識別子であるかどうかを認証する。
【００６４】
上記実施形態は、基本識別子としてＵＩＮを用い、第２識別子として携帯電話番号及び電子メール・アドレスを用いることにより、示されている。当業者には理解されるであろうが、前記基本識別子又は第２識別子として、ユーザを識別することのできるその他の情報を用いてもよいし、より多くの種類の第２識別子によって、ユーザがログインできるようにしてもよい。
【００６５】
上記説明は、本発明の単なる好適な一実施形態であって、本発明を限定するためのものではない。本発明の精神及び範囲を逸脱せずに加えられる、形式及び細部における様々な変更は全て、本発明の保護範囲に含まれる。
【図面の簡単な説明】
【００６６】
【図１】本発明における携帯電話番号による関連付け手順を示すフローチャートである。
【図２】本発明における電子メール・アドレスによる関連付け手順を示すフローチャートである。
【図３】本発明の方式を利用してインスタント・メッセージ・システムにログインする手順を示すフローチャートである。
【図１】
0004745965.tif 000002
【図２】
0004745965.tif 000003
【図３】
0004745965.tif 000004